(57)【要約】【課題】メモリの増加や処理遅延を発生させずに下地除去が行えるカラー画像処理装置を提供する。【解決手段】色成分毎にライン単位で原稿画像を読み込む画像読取部と、前記読み取られた原稿画像データに生じる色成分ごとの位置ズレをライン遅延処理によって補正するラインギャップ補正部と、前記ラインギャップ補正された原稿画像データに対して下地除去処理を行う下地除去部とを有するカラー画像処理装置であって、先頭ラインのラインギャップを補正するときに、前記ライン遅延処理のために保持された前記原稿画像データに対して、色成分毎に平均濃度値を算出して下地濃度として取得する下地濃度取得部を備え、前記下地除去部は、色成分毎に、前記カラー画像データの濃度値から前記算出した下地濃度を差し引いて下地除去処理を行う。【選択図】図１
2010028332.tif 000002
【特許請求の範囲】
【請求項１】
色成分毎にライン単位で原稿画像を読み込む画像読取部と、前記読み取られた原稿画像データに生じる色成分ごとの位置ズレをライン遅延処理によって補正するラインギャップ補正部と、前記ラインギャップ補正された原稿画像データに対して下地除去処理を行う下地除去部とを有するカラー画像処理装置であって、
先頭ラインのラインギャップを補正するときに、前記ライン遅延処理のために保持された前記原稿画像データに対して、色成分毎に平均濃度値を算出して下地濃度として取得する下地濃度取得部を備え、前記下地除去部は、色成分毎に、前記カラー画像データの濃度値から前記算出した下地濃度を差し引いて下地除去処理を行うことを特徴とするカラー画像処理装置。
【請求項２】
色成分毎にライン単位で原稿画像を読み込む画像読取部と、前記読み取られた原稿画像データに生じる色成分ごとの位置ズレをライン遅延処理によって補正するラインギャップ補正部と、注目画素の周辺画素の濃度を参照して領域分離処理を行う領域分離処理部と、前記ラインギャップ補正された原稿画像データに対して下地除去処理を行う下地除去部とを有するカラー画像処理装置であって、
先頭ラインのラインギャップを補正するときに、前記ライン遅延処理のために保持された前記原稿画像データに対して、色成分毎に平均濃度値を算出して下地濃度として取得する下地濃度取得部と、先頭ラインの各画素に対して領域分離処理をするときに、参照される周辺画素を含むラインの原稿画像データに対して、色成分毎に平均濃度値を算出して下地濃度として取得する第２下地濃度取得部と、を備え、前記下地除去部は、前記下地濃度取得部で取得した各色成分の下地濃度から算出した輝度と、前記第２下地濃度取得部で取得した各色成分の下地濃度から算出した彩度とを、前記カラー画像データの輝度と彩度からそれぞれ差し引いて下地除去処理を行うことを特徴とするカラー画像処理装置。
【発明の詳細な説明】
【技術分野】
【０００１】
本発明は、下地除去処理を行うカラー画像処理装置に関する。
【背景技術】
【０００２】
カラー複写機などの画像形成装置においては、最適な出力画像を得るために、新聞紙や色紙のような下地のある原稿を読み取った場合、下地を除去する手段が備えられている。
この下地検出方法には、入力された画像データに基づいて、濃度とその度数とを表わすヒストグラムを作成する方法がある。
【０００３】
例えば、特許文献１の方法は、読み取られたカラー画像データの色成分毎に独立したヒストグラムを作成して、色成分毎に独立して下地判定を行っている。
この構成により、構成を簡単にしつつ、処理速度を向上させ、且つ、下地を精度よく認識して下地除去を行っている。
【０００４】
また、特許文献２の方法は、注目画素のＲＧＢ値と、隣接画素が属するクラスのＲＧＢ値の平均値との差分値が第１の閾値以下である場合に、注目画素を隣接画素が属するクラスに分類し、差分値が第１の閾値を超える場合に注目画素を新たに設定したクラスに分類する。そして、クラスが全体画像の端に位置する画素を含む場合、および、クラスが全体画像の全画素数に対して第１の割合以上の数の画素を含む場合、該クラスを下地領域のクラスとして検出する。
これにより、ヒストグラムを用いることなく下地領域のみを適正的確に検出している。
【特許文献１】特開２０００−２２９７１号公報
【特許文献２】特開２００６−２２９８１７号公報
【発明の開示】
【発明が解決しようとする課題】
【０００５】
しかしながら、上記の従来技術では、読み取ったページ全体の画素情報が必要なため、そのための画像情報を蓄えるためのメモリが増え、さらに、ページを読み取ってから下地検出を行うため、下地検出処理の開始までの時間および印刷開始までの時間がかかっていた。
【０００６】
本発明は、上記の実情を考慮してなされたものであって、メモリの増加や処理遅延を発生させずに下地除去が行えるカラー画像処理装置を提供することを目的とする。
【課題を解決するための手段】
【０００７】
上記の課題を解決するために、本発明のカラー画像処理装置は、次のいずれかの構成を有するものである。
（１）色成分毎にライン単位で原稿画像を読み込む画像読取部と、前記読み取られた原稿画像データに生じる色成分ごとの位置ズレをライン遅延処理によって補正するラインギャップ補正部と、前記ラインギャップ補正された原稿画像データに対して下地除去処理を行う下地除去部とを有するカラー画像処理装置であって、先頭ラインのラインギャップを補正するときに、前記ライン遅延処理のために保持された前記原稿画像データに対して、色成分毎に平均濃度値を算出して下地濃度として取得する下地濃度取得部を備え、前記下地除去部は、色成分毎に、前記カラー画像データの濃度値から前記算出した下地濃度を差し引いて下地除去処理を行う。
【０００８】
（２）色成分毎にライン単位で原稿画像を読み込む画像読取部と、前記読み取られた原稿画像データに生じる色成分ごとの位置ズレをライン遅延処理によって補正するラインギャップ補正部と、注目画素の周辺画素の濃度を参照して領域分離処理を行う領域分離処理部と、前記ラインギャップ補正された原稿画像データに対して下地除去処理を行う下地除去部とを有するカラー画像処理装置であって、
先頭ラインのラインギャップを補正するときに、前記ライン遅延処理のために保持された前記原稿画像データに対して、色成分毎に平均濃度値を算出して下地濃度として取得する下地濃度取得部と、先頭ラインの各画素に対して領域分離処理をするときに、参照される周辺画素を含むラインの原稿画像データに対して、色成分毎に平均濃度値を算出して下地濃度として取得する第２下地濃度取得部と、を備え、前記下地除去部は、前記下地濃度取得部で取得した各色成分の下地濃度から算出した輝度と、前記第２下地濃度取得部で取得した各色成分の下地濃度から算出した彩度とを、前記カラー画像データの輝度と彩度からそれぞれ差し引いて下地除去処理を行う。
【発明の効果】
【０００９】
本発明のカラー画像処理装置によれば、ラインギャップ補正処理や領域分離処理のためにメモリに保持された画像データを利用するので、メモリの増加や処理遅延を発生させずに下地除去を行える。
【発明を実施するための最良の形態】
【００１０】
以下、図面を参照して本発明に係る画像処理装置の好適な実施形態について説明する。
【００１１】
＜実施形態１＞
図１は、本発明の実施形態１に係るカラー画像処理装置を備えたカラー画像形成装置の概略の構成を示すブロック図である。同図において、カラー画像形成装置１０は、カラー画像入力装置１１、カラー画像処理装置２０、カラー画像出力装置１２を備えている。
【００１２】
カラー画像入力装置１１は、スキャナ部より構成されており、原稿からの反射光像をＲＧＢ信号（Ｒ：赤・Ｇ：緑・Ｂ：青）のアナログ信号としてＣＣＤ(Charge Coupled Device)にて読み取り、カラー画像処理装置２０内において後述する処理が施され、ＣＭＹＫ（Ｃ：シアン、Ｍ：マゼンタ、Ｙ：イエロー、Ｋ：黒）のデジタルカラー信号として、カラー画像出力装置１２へ出力される。
【００１３】
このスキャナ部には、１ライン分の画素を読み取る３組のＣＣＤが等間隔に配置され、３組のＣＣＤにはそれぞれ異なる３種のカラーフィルタＲ，Ｇ，Ｂが掛けられている。スキャナ部は、原稿画像を主走査方向のＲ、ＧおよびＢの一次元画素列のカラー画像データとして読み取り、副走査方向にスキャンして、原稿全体の画像を読み取る。
【００１４】
また、カラー画像出力装置１２は、カラー画像処理装置２０にて所定の画像処理が行われた原稿画像の画像データを記録用紙上に出力する電子写真方式またはインクジェット方式などのプリンタである。
【００１５】
カラー画像処理装置２０は、Ａ／Ｄ（アナログ／デジタル）変換部２１、シェーディング補正部２２、入力階調補正部２３、下地濃度取得部２４、ラインギャップ補正部２５、領域分離処理部２６、下地除去部２７、色変換処理部２８、黒生成／下色除去部２９、空間フィルタ処理部３０、出力階調補正部３１、階調再現処理部３２から構成されている。
【００１６】
Ａ／Ｄ変換部２１では、カラー画像入力装置１１から入力されたＲＧＢ信号のアナログ信号をデジタル信号に変換し、シェーディング補正部２２に入力する。
シェーディング補正部２２では、入力されたＲＧＢ信号のデジタル信号に対して、カラー画像入力装置１１の照明系、結像系、撮像系で生じた各種の歪みを取り除く処理が施され、入力階調補正部２３に入力する。
【００１７】
入力階調補正部２３では、シェーディング補正部２２において各種の歪みが取り除かれたＲＧＢ信号（ＲＧＢの反射率信号）に対して、カラーバランスを整えるとともに、濃度信号などカラー画像処理装置２０に採用されている扱い易い信号に変換する処理が施され、図示しないメモリに一旦退避する。
【００１８】
下地濃度取得部２４は、先頭ラインのラインギャップ補正処理のときにのみ下地濃度を算出し、１ページの原稿の読み取りが終了するまで、この先頭ラインの下地濃度を下地除去部２７に入力する。
【００１９】
次に、下地濃度の取得方法について説明する。
上記のカラー画像入力装置１１で読み取られた画像データは、３組のＣＣＤの位置が副走査方向にずれているので、主走査方向の１度の一次元画像列の画像データでは原稿の同じ位置のＲＧＢ信号が得られない。このため、先行して読み取られ画像データ（例えば、Ｒ，Ｇ）は、遅れて読み取られる画像データ（例えば、Ｂ）が揃うまで待たなければならない。例えば、それぞれのＣＣＤ間のラインギャップをｎラインとすると、１００％の読み取り倍率の場合、待つライン数は、Ｒ信号では２×ｎライン、Ｇ信号ではｎラインである。
【００２０】
したがって、先頭ラインのラインギャップ補正処理では、Ｒ信号については２×ｎライン分の画像データ、Ｇ信号についてはｎライン分の画像データ、Ｂ信号については１ライン分の画像データがメモリに保持されていることになる。
そこで、下地濃度取得部２４は、先頭ラインのラインギャップ補正処理のときに、メモリに保持された画像データを取得し、各画素の濃度値の平均濃度値を色成分毎に算出し、これを原稿の下地濃度とし、１ページの原稿の読み取りが終了するまで、この下地濃度を下地除去部２７に入力する。
【００２１】
ラインギャップ補正部２５は、例えば、特開平１１−９８３５１号公報のような公知の技術により、３組のＣＣＤで読み取られた画像データの副走査方向の位置ズレを補正し、位置ズレを補正された同じラインのＲＧＢ信号をそれぞれ領域分離処理部２６に入力する。
【００２２】
領域分離処理部２６は、ＲＧＢ信号に基づき、画像領域中の各画素が文字領域、網点領域、写真領域の何れかに分離され、分離結果に基づいて、各画素がどの領域に属しているかを示す領域識別信号を黒生成／下色除去部２９、空間フィルタ処理部３０および階調再現処理部３２へ出力する。
【００２３】
下地除去部２７は、ＲＧＢ信号に同期して、色成分毎の下地濃度値を入力して、色成分毎の濃度値（下地除去前濃度値）から下地濃度値を差し引いた下地除去処理を行って色変換処理部２７に入力する。
【００２４】
上記の下地除去処理は、図２のように、０を濃度がない白レベル、２５５を黒レベルとし、Ｄｏを下地除去後濃度値、Ｄｉを下地除去前濃度値、Ｄｐを下地濃度値とした場合、下記のような変換式（１）を用いて行われる。
【００２５】
Ｄｏ＝２５５／（２５５−Ｄｐ）×Ｄｉ−２５５／（２５５−Ｄｐ）×Ｄｐ  …（１）
但し、（Ｄｉ−Ｄｐ）が負の場合には、Ｄｏ＝０とする。
【００２６】
また、２５５が白レベルであれば、変換式（１）にあてはめる前後で、下地除去前濃度値Ｄｉを反転させればよい。
【００２７】
色変換処理部２８では、領域分離処理部２６より送られてきた画像データをもとに、忠実化実現のために、不要吸収成分を含むＣＭＹ（Ｃ：シアン・Ｍ：マゼンタ・Ｙ：イエロー）色材の分光特性に基づいた色濁りを取り除き、ＣＭＹ信号を黒生成／下色除去部２９に入力する。
【００２８】
次いで、黒生成／下色除去部２９では、色変換処理後のＣＭＹの３色信号から黒（Ｋ）信号を生成する黒生成、および元のＣＭＹ信号から黒生成で得たＫ信号を差し引いて新たなＣＭＹ信号を生成する下色除去処理が行われ、ＣＭＹＫの４色信号を空間フィルタ処理部３０に入力する。
【００２９】
次に、空間フィルタ処理部３０では、領域分離処理部２６から入力されたＲＧＢ信号の画像データに対して、領域識別信号に基づきデジタルフィルタによる空間フィルタ処理がなされ、空間周波数特性を補正することによって出力画像のぼけや粒状性劣化を防ぐような処理が施され、出力階調処理部３１に入力する。
【００３０】
例えば、領域分離処理部２６において文字領域に分離された領域は、特に黒文字または色文字の再現性を高めるために、空間フィルタ処理の一つである鮮鋭強調処理が施され高周波成分が強調され、同時に、階調再現処理部３２において高周波数再現に適した高解像のスクリーンでの二値化または多値化処理が行われる。
一方、領域分離処理部２６により網点と判別された領域に関しては、入力網点成分を除去するためのローパス・フィルタ処理が施され、同時に、階調再現処理部３２では、階調再現性を重視したスクリーンでの二値化または多値化処理が行われる。
【００３１】
出力階調補正部３１では、濃度等の信号を画像出力の特性値である網点面積率に変換する出力階調補正処理が行われ、さらに、階調再現処理部３２では、最終的に画像を画素に分割してそれぞれの階調を再現できるように処理する階調再現処理つまり中間調処理がなされ、カラー画像出力装置１２に入力する。
また、以上の処理は、カラー画像形成装置を制御する制御プログラムを、図示しないＣＰＵ（Central Processing Unit ）で動作させることによって制御される。
【００３２】
次に、本実施形態１のカラー画像処理装置２０における原稿画像の入力から下地除去までの処理手順を図３のフローチャートを用いて説明する。
３組のＣＣＤにより、Ｒ、ＧおよびＢの一次元画素列のカラー画像情報を読み取る（ステップＳ１）。
このステップでは、読み取ったアナログ信号のＲＧＢ信号をそれぞれデジタル信号に変換し、カラー画像入力装置１１の照明系、結像系、撮像系で生じた各種の歪みを取り除く処理が施され、カラーバランスを整えるとともに、濃度信号などカラー画像処理装置２０に採用されている扱い易い信号に変換する処理が施され、メモリに一旦退避される。
【００３３】
次に、先頭ラインのラインギャップ補正処理を行うときに、ラインギャップ補正処理をするために一時退避したメモリに記憶されている画像データに基づいて、各画素の濃度値の平均濃度値を色成分毎に算出し、原稿の下地濃度とする（ステップＳ２）。
このステップでは、３組のＣＣＤ間のラインギャップをｎラインとすると、ラインギャップ補正処理を行うために、Ｒ信号については２×ｎライン分の画像データ、Ｇ信号についてはｎライン分の画像データ、Ｂ信号については１ライン分の画像データがメモリに一時的に退避されている。
したがって、Ｒ信号の下地濃度値は、２×ｎライン分のすべての画素の濃度値の平均濃度値、Ｇ信号の下地濃度値は、ｎライン分のすべての画素の濃度値の平均濃度値、また、Ｂ信号の下地濃度値は、１ライン分のすべての画素の濃度値の平均濃度値として算出される。
【００３４】
下地濃度の取得が終了すると、３組のＣＣＤで読み取られた画像データの副走査方向の位置ズレを補正して、同じラインのＲＧＢ信号とし（ステップＳ３）、このＲＧＢ信号に基づいて、画像領域中の各画素を文字領域、網点領域、写真領域の何れかに分離する（ステップＳ４）。
【００３５】
次に、ＲＧＢの色成分毎に、下地除去前濃度値および下地濃度値を変換式（１）に代入することによって、下地除去した濃度値を算出する（ステップＳ５）。
このステップＳ５以降、下地除去した色成分毎の濃度値を用いて、後段の画像処理（色変換処理部２８、黒生成／下色除去部２９、空間フィルタ処理部３０、出力階調補正部３１、階調再現処理部３２）を行って、電子写真方式またはインクジェット方式などのプリンタで記録用紙上に出力する。
【００３６】
以上の構成により、ラインギャップ補正処理用にメモリに一時的に退避したＲＧＢ信号の濃度値を用いて、下地濃度値を算出することができるので、メモリを増加させることもなく、また、印刷開始等の処理開始を遅延させることもなくなる。
また、下地濃度の算出範囲を大きくとることができるので、先頭ラインでの下地濃度値の精度を高めることができる。
【００３７】
＜実施形態２＞
図４は、本発明の実施形態２に係るカラー画像処理装置を備えたカラー画像形成装置の概略の構成を示すブロック図である。図４において、実施形態１と同様の機能については同じ符号を付し、その説明を省略する。本実施形態２は、第２下地濃度取得部３３が追加され、下地除去部２７の機能が実施形態１と相違している。
以下、これらの相違点について説明する。
【００３８】
領域分離処理部２６は、注目画素の周辺画素の濃度値を参照して、例えば、連結度、繁雑度、最大最小濃度差の３つのパタメータを算出し、それらのパタメータから注目画素が文字領域か写真領域か網点領域にあるか判断している（例えば、特開平１１−２３４５１８号公報参照）。
【００３９】
ここで、連結度は、領域分離の判定領域の濃度を任意の閾値で２値化し、その濃度が濃い値が縦横斜めに連続してつながっている最大の長さである。
また、繁雑度は、領域分離の判定領域の中で隣の画素の濃度差を加算したものである。
また、最大最小濃度差は、領域分離の判定領域の中での最大濃度値と最小濃度値の差をいう。
【００４０】
このように、領域分離を行うためには、注目画素の周辺画素を参照する必要があるため、例えば、周辺画素を５×５画素とすると、通常２ライン以上の処理遅延が発生する。
第２下地濃度取得部３３では、この処理遅延を利用して、先頭ラインの領域分離をするために処理遅延しているすべてのラインの各画素の濃度値の平均濃度値を色成分毎に算出して、原稿の下地濃度値を算出し、１ページの原稿の読み取りが終了するまで、この下地濃度を下地除去部２７に入力する。
【００４１】
下地除去部２７は、ＲＧＢ信号に同期して、下地濃度取得部２４および第２下地濃度取得部３３で算出した下地濃度値をそれぞれ入力して、次のような下地除去処理を行う。
【００４２】
ここで、下地濃度取得部２４で算出した色成分毎の下地濃度値をＲ１,Ｇ１,Ｂ１とし、第２下地濃度取得部３３で算出した色成分毎の下地濃度値をＲ２,Ｇ２,Ｂ２とする。
まず、ＲＧＢ色空間の濃度値であるＲ１,Ｇ１,Ｂ１およびＲ２,Ｇ２,Ｂ２を変換式（２）によってＬ＊ａ＊ｂ＊色空間（以下、Ｌａｂ色空間と表記する）の輝度、彩度に変換する。
【００４３】
【数１】
2010028332.tif 000003
【００４４】
ここで、ｅ１〜ｅ１２は、ＲＧＢ色空間からＬａｂ色空間への変換係数とし、Ｌは、輝度を示し、ａｂは彩度を示している。
【００４５】
次に、各画素の各色成分の濃度値をＲ，Ｇ，Ｂとして、変換式（３）に代入することによりＬａｂ色空間の輝度Ｌ、彩度ａｂ（以降、（Ｌ，ａ，ｂ）と表記する）に変換する。
【００４６】
【数２】
2010028332.tif 000004
【００４７】
ここで、ｅ１〜ｅ１２は、変換式（２）と同様に、ＲＧＢ色空間からＬａｂ色空間への変換係数とする。
【００４８】
次に、下地濃度値を変換式（２）で算出した輝度、彩度を（Ｌ１,ａ１,ｂ１）、下地除去前濃度値を変換式（３）で算出した輝度、彩度を（Ｌ２,ａ２,ｂ２）とすると、下地除去後の輝度、彩度（Ｌ３,ａ３,ｂ３）は、式（４）によって算出される。
【００４９】
【数３】
2010028332.tif 000005
【００５０】
下地除去部２７は、下地除去後の輝度、彩度（Ｌ３,ａ３,ｂ３）をＲＧＢ色空間の濃度値へ変換して、色変換処理部２８へ入力する。また、色変換処理部２８がＣＭＹ信号を入力信号として処理している場合には、Ｌａｂ色空間からＣＭＹ色空間へ変換するようにしても構わない。
【００５１】
次に、本実施形態２のカラー画像処理装置２０における原稿画像の入力から下地除去までの処理手順を図５のフローチャートを用いて説明する。
３組のＣＣＤにより、Ｒ、ＧおよびＢの一次元画素列のカラー画像情報を読み取る（ステップＳ１１）。
このステップでは、読み取ったアナログ信号のＲＧＢ信号をそれぞれデジタル信号に変換し、カラー画像入力装置１１の照明系、結像系、撮像系で生じた各種の歪みを取り除く処理が施され、カラーバランスを整えるとともに、濃度信号などカラー画像処理装置２０に採用されている扱い易い信号に変換する処理が施され、メモリに一旦退避される。
【００５２】
次に、実施形態１と同様にして、先頭ラインのラインギャップ補正処理を行うときに、ラインギャップ補正処理をするために一時退避したメモリに記憶されている画像データに基づいて、各画素の濃度値の平均濃度値を色成分毎に算出し、これを先頭ラインの下地濃度とする（ステップＳ１２）。
下地濃度の取得が終了すると、３組のＣＣＤで読み取られた画像データの副走査方向の位置ズレを補正して、同じラインのＲＧＢ信号とする（ステップＳ１３）。
【００５３】
次に、領域分離処理の処理遅延を利用して、処理遅延しているすべてのラインの各画素の濃度値の平均濃度値を色成分毎に算出して、先頭ラインの第２下地濃度値を算出する（ステップＳ１４）。
ラインギャップ補正されたＲＧＢ信号に基づいて、画像領域中の各画素を文字領域、網点領域、写真領域の何れかに分離する（ステップＳ１５）。
【００５４】
次に、ステップＳ１２およびＳ１４で算出された、下地濃度および第２下地濃度を用いて下地除去処理を行う（ステップＳ１６）。
このステップでは、色成分毎の下地濃度値と第２下地濃度値を変換式（２）に、また、各画素の各色成分の濃度値を変換式（３）に代入することによりＬａｂ色空間の輝度、彩度に変換して、式（４）によって下地除去後の輝度、彩度を算出し、この輝度、彩度をＲＧＢ色空間の濃度値へ変換することによって、原稿画像の画像データから下地色を除去する。
このステップＳ１６以降、下地除去した色成分毎の濃度値を用いて、後段の画像処理（色変換処理部２８、黒生成／下色除去部２９、空間フィルタ処理部３０、出力階調補正部３１、階調再現処理部３２）を行って、電子写真方式またはインクジェット方式などのプリンタで記録用紙上に出力する。
【００５５】
このような構成により、実施形態１の効果に加えて、下地濃度の算出範囲が色成分別に異なるため、そのままでは色ズレが発生する可能性があるが、彩度では算出範囲を同じにし、算出範囲の相違を輝度にのみ反映させるので、色ズレが起きない。
【００５６】
尚、本発明は上述した実施形態に限定されず、本発明の要旨を逸脱しない範囲内で各種の変形、修正が可能であるのは勿論である。
【図面の簡単な説明】
【００５７】
【図１】本発明の実施形態１に係るカラー画像処理装置を備えたカラー画像形成装置の概略の構成を示すブロック図である。
【図２】実施形態１における下地除去を説明する図である。
【図３】実施形態１のカラー画像処理装置における原稿画像の入力から下地除去までの処理手順を説明するフローチャートである。
【図４】本発明の実施形態２に係るカラー画像処理装置を備えたカラー画像形成装置の概略の構成を示すブロック図である。
【図５】実施形態２のカラー画像処理装置における原稿画像の入力から下地除去までの処理手順を説明するフローチャートである。
【符号の説明】
【００５８】
１０…カラー画像形成装置、１１…カラー画像入力装置、１２…カラー画像出力装置、２０…カラー画像処理装置、２１…Ａ／Ｄ変換部、２２…シェーディング補正部、２３…入力階調補正部、２４…下地濃度取得部、２５…ラインギャップ補正部、２６…領域分離処理部、２７…下地除去部、２８…色変換処理部、２９…黒生成／下色除去部、３０…空間フィルタ処理部、３１…出力階調補正部、３２…階調再現処理部、３３…第２下地濃度取得部。
【図１】
2010028332.tif 000006
【図２】
2010028332.tif 000007
【図３】
2010028332.tif 000008
【図４】
2010028332.tif 000009
【図５】
2010028332.tif 000010